(57)【要約】【課題】埋設孔が拡大または縮小したいずれの場合でも、重りを鍵本体に安定して保持することができる鍵盤楽器の鍵を提供する。【解決手段】左右の側面の少なくとも一方に開口した埋設孔８が形成されるとともに、埋設孔８の壁部８ｂから埋設孔８の内方に突出した係合凸部９を有する揺動自在の鍵本体２と、埋設孔８に挿入され、挿入方向に延びる係合凹部４ａを有し、係合凹部４ａが係合凸部９に嵌合し、かつ外周部が埋設孔８に嵌合した状態で、鍵本体２に取り付けられた重４りと、を備えている。【選択図】図１
2008064854.tif 000002
【特許請求の範囲】
【請求項１】
左右の側面の少なくとも一方に開口した埋設孔が形成されるとともに、当該埋設孔の壁部から当該埋設孔の内方に突出した係合凸部を有する揺動自在の鍵本体と、
前記埋設孔に挿入され、当該挿入方向に延びる係合凹部を有し、当該係合凹部が前記係合凸部に嵌合し、かつ外周部が前記埋設孔に嵌合した状態で、前記鍵本体に取り付けられた重りと、
を備えていることを特徴とする鍵盤楽器の鍵。
【請求項２】
前記鍵本体は、前記左右の側面の他方側に、前記埋設孔を閉鎖する閉鎖壁部を有し、
前記係合凸部は、前記閉鎖壁部から前記一方の側面側に向かって突出していることを特徴とする請求項１に記載の鍵盤楽器の鍵。
【発明の詳細な説明】
【技術分野】
【０００１】
本発明は、ピアノなどの鍵盤楽器の鍵に関し、特に所望のタッチ重さを得るために重りを取り付けた鍵盤楽器の鍵に関する。
【背景技術】
【０００２】
鍵盤楽器、特にグランドピアノなどのアコースティックピアノでは一般に、鍵の所要のタッチ重さ（静荷重）を得るために、鍵盤の各鍵に重りが取り付けられている。従来一般に、この重りは、鉛で構成されており、図７に示すように、鉛を成形した所定サイズの円柱状の複数（この例では２個）の重り２１を、鍵２２の木製の鍵本体２３の所定位置に側方に貫通した複数の埋設孔２３ａに埋め込み、かしめることによって、鍵本体２３に取り付けられている。このように、重りとして鉛が採用されているのは、金属の中でも比重が高い（約１１．３）こと、安価であること、柔軟性や延性に富むこと、さらに上記のような加工を行いやすいことなどによる。しかし、鉛は、有害物質であるため、鍵の重りにもできるだけ使用しないことが望ましく、鉛に代わる代替材料が求められている。
【０００３】
そのため、近年、鉛以外の材料から成る種々の重りが開発されており、例えば特許文献１に開示されたものが知られている。特許文献１の重りは、タングステン粉末と合成樹脂を所定の配合割合でブレンドした材料から成り、塑性変形可能に構成されている。この重りは、鍵本体に形成した埋設孔よりも一回り小さく形成され、埋設孔に挿入した状態でかしめることによって、取り付けられる。
【０００４】
しかし、このような重りが、木製の鍵本体に取り付けられた場合には、次のような問題がある。すなわち、木製の鍵本体は、湿度や温度の影響により、膨張および収縮が生じやすく、それにより、重りの保持力が低下することがある。例えば、図８（ａ）に示すように、重り２４が鍵本体２３に取り付けられた状態において、鍵本体２３が乾燥することにより収縮した場合には、同図（ｂ）に示すように、埋設孔２３ａが縮小する。逆に、鍵本体２３が吸湿することにより膨張した場合には、同図（ｃ）に示すように、埋設孔２３ａは拡大する。
【０００５】
これに対し、重り２４は、湿度や温度の変化による変形がほとんどなく、しかも鍵本体２３に比べて非常に硬い。そのため、埋設孔２３ａが縮小しようとした場合には、重り２４からの反力により、埋設孔２３ａの壁部に圧縮変形が生じる。木製の鍵本体２３は通常、弾性が非常に低いため、一旦生じた埋設孔２３ａの壁部の圧縮変形はほとんど回復せず、その後、鍵本体２３の吸湿に伴って埋設孔２３ａが拡大した場合には、埋設孔２３ａの壁部と重り２４の間に隙間が生じ、その結果、重り２４の保持力が低下してしまい、重り２４を安定して保持することができなくなる。その場合には、重り２４ががたつきやすくなるとともに、押鍵の繰り返しにより、重り２４が隣の鍵側に次第に移動し、その鍵に接触することがあり、鍵のタッチ感や回動動作に悪影響を及ぼしてしまう。
【０００６】
本発明は、以上のような課題を解決するためになされたものであり、埋設孔が拡大または縮小したいずれの場合でも、重りを鍵本体に安定して保持することができる鍵盤楽器の鍵を提供することを目的とする。
【０００７】
【特許文献１】特開２００２−２６５７９３号公報
【発明の開示】
【課題を解決するための手段】
【０００８】
上記の目的を達成するために、請求項１に係る発明は、左右の側面の少なくとも一方に開口した埋設孔が形成されるとともに、埋設孔の壁部から埋設孔の内方に突出した係合凸部を有する揺動自在の鍵本体と、埋設孔に挿入され、挿入方向に延びる係合凹部を有し、係合凹部が係合凸部に嵌合し、かつ外周部が埋設孔に嵌合した状態で、鍵本体に取り付けられた重りと、を備えていることを特徴とする。
【０００９】
この構成によれば、鍵本体には、左右の側面の少なくとも一方に開口した埋設孔が形成されており、この埋設孔の壁部から、係合凸部が埋設孔の内方に突出している。また、埋設孔に、その開口を介して挿入された重りには、その挿入方向に延びる係合凹部が設けられている。そして、この重りは、係合凹部が係合凸部に嵌合し、かつ外周部が埋設孔に嵌合した状態で、鍵本体に取り付けられ、鍵に重さを付加する。
【００１０】
重りが鍵本体に取り付けられた状態において、鍵本体が乾燥に伴って収縮した場合には、係合凸部が収縮するとともに、前述したように、埋設孔が全体として縮小する。この場合、係合凸部の収縮により、係合凸部と係合凹部の間に隙間が生じる一方、埋設孔の縮小により、埋設孔の壁部が重りの外周部に、これを周囲から押圧した状態で密着する。逆に、鍵本体が吸湿に伴って膨張した場合には、係合凸部が膨張するとともに、埋設孔が全体として拡大する。この場合、埋設孔の拡大により、埋設孔の壁部と重りの外周部との間に隙間が生じる一方、係合凸部の膨張により、係合凸部が係合凹部の壁部に、これを内方から押圧した状態で密着する。
【００１１】
以上のように、埋設孔が縮小した場合には、埋設孔の壁部が重りの外周部に強固に密着し、逆に、埋設孔が拡大した場合には、係合凸部が重りの係合凹部に強固に密着することにより、重りが埋設孔にしっかりと保持される。このように、鍵本体の乾湿に伴って埋設孔が拡大および縮小したいずれの場合でも、重りの保持力を十分に確保でき、重りを鍵本体に安定して保持することができる。
【００１２】
請求項２に係る発明は、請求項１に記載の鍵盤楽器の鍵において、鍵本体は、左右の側面の他方側に、埋設孔を閉鎖する閉鎖壁部を有し、係合凸部は、閉鎖壁部から一方の側面側に向かって突出していることを特徴とする。
【００１３】
この構成によれば、埋設孔は、鍵本体の左右の側面の他方側が、閉鎖壁部によって閉鎖されている。また、係合凸部は、閉鎖壁部から一方の側面側に向かって突出している。したがって、重りが埋設孔に挿入された状態では、係合凸部が重りの内部に入り込んだ状態で係合凹部に嵌合する。この状態において、係合凸部が膨張した場合には、この係合凸部の３６０度にわたる外周面の全体が、係合凹部の壁部に、これを内方から押圧した状態で密着する。このように、鍵本体の係合凸部が重りの内部に強固に密着することにより、重りを安定した状態でしっかりと保持することができる。
【発明を実施するための最良の形態】
【００１４】
以下、本発明の実施形態を、図面を参照しながら説明する。図１は、本発明の第１実施形態によるグランドピアノの鍵（白鍵を１つのみ図示）を示している。同図に示すように、この鍵１は、鍵本体２と、鍵本体２の前部に取り付けられた白鍵カバー３と、鍵本体２に取り付けられた複数の重り４などを備えている。
【００１５】
鍵本体２は、スプルスなどの比較的軽量で、粘り強く、弾力性に富む木材から成り、矩形の断面を有し、前後方向に延びている。白鍵カバー３は、アクリルなどのプラスチックにより、Ｌ字形に形成されており、鍵本体２の上面前半部および前面に、これらを覆うように接着されている。鍵本体２の上面中央部には中座板５ａが接着され、これらを上下方向に貫通するように、バランスピン孔５が形成されている。そして、このバランスピン孔５が、立設するバランスピン（図示せず）に係合することによって、鍵１が揺動自在に支持されている。また、鍵本体２の下面の前端部には、フロントピン孔６が形成されており、このフロントピン孔６が、立設するフロントピン（図示せず）に係合することによって、鍵１の左右の振れが防止される。
【００１６】
さらに、鍵本体２の上面のバランスピン孔５よりも後ろ側の位置には、キャプスタン座板７ａを介して、キャプスタンスクリュー７が取り付けられており、このキャプスタンスクリュー７上にアクション（図示せず）が載置される。以上の構成により、鍵１の前部を押鍵したときに、鍵１がバランスピンを中心として揺動するのに伴い、アクションがキャプスタンスクリューで突き上げられることで作動する。また、鍵１のタッチ重さは、アクションと鍵１の重さによるバランスピン回りのモーメントのバランスによって定められることになる。
【００１７】
また、鍵本体２には、３つの埋設孔８が形成されており、これらの埋設孔８にそれぞれ、重り４が挿入されることによって、取り付けられている。これらの埋設孔８は、鍵本体２のバランスピン孔５よりも前側の所定位置に、前後方向に並んで配置されている。図２および図３に示すように、各埋設孔８は、円形の断面を有し、鍵本体２の左側面に開口するとともに、この開口部８ａから鍵本体２の右側面付近まで延びている。また、鍵本体２には、埋設孔８の開口部８ａと反対側の右側面側に、閉鎖壁部８ｂ（壁部）が形成されており、埋設孔８はこの閉鎖壁部８ｂによって閉鎖されている。この閉鎖壁部８ｂには、開口部８ａ側に向かって突出する係合凸部９が設けられている。この係合凸部９は、埋設孔８の径よりも小さな所定の径と、埋設孔８の深さよりも短い所定の長さを有する円柱状に形成され、埋設孔８と同心状に配置されている。
【００１８】
重り４は、上述した埋設孔８に対して相補的な形状を有するように形成されている。すなわち、重り４は、埋設孔８の径および深さとほぼ同じ寸法を有する円柱状に形成されるとともに、閉鎖壁部８ｂ側の端面に開口した係合凹部４ａを有している。この係合凹部４ａは、上記係合凸部９とほぼ同じ径と、係合凸部９の長さよりも若干大きな深さを有している。なお、この重り４の材料については、特に限定されるものではないが、無害で比重が比較的大きい金属（例えば、タングステン、タンタル、モリブデン、鉄、ニッケル、銅、亜鉛、およびビスマス）や、そのような金属と合成樹脂との複合材料などを使用することが可能である。
【００１９】
上記のように形成された重り４は、図３に示すように、開口部８ａ側から埋設孔８に挿入され、鍵本体２に取り付けられている。なお、重り４の取付けは、重り４を埋設孔８に挿入した後にかしめたり、重り４を埋設孔８に圧入したりすることによって行われる。このように、鍵本体２に重り４を取り付けた状態では、同図（ｂ）に示すように、重り４の外周部が埋設孔８の周壁部８ｃに嵌合するとともに、重り４の係合凹部４ａが係合凸部９に嵌合している。
【００２０】
以上のように構成された本実施形態の鍵１によれば、ピアノの使用環境（湿度や温度）により鍵本体２が乾燥した場合には、鍵本体２が収縮し、図４（ａ）に示すように、埋設孔８が全体として縮小するとともに、係合凸部９が収縮する。この場合、係合凸部９の収縮により、係合凸部９と係合凹部４ａの間に隙間が生じる一方、埋設孔８の縮小により、埋設孔８の周壁部８ｃが重り４の外周部に、これを周囲から押圧した状態で密着する。
【００２１】
逆に、鍵本体２が吸湿した場合には、鍵本体２が膨張し、図４（ｂ）に示すように、埋設孔８が全体として拡大するとともに、係合凸部９が膨張する。この場合、埋設孔８の拡大により、埋設孔８の周壁部８ｃと重り４の外周部との間に隙間が生じる一方、係合凸部９の膨張により、係合凸部９が、その外周面の全体にわたり、係合凹部４ａの周壁部に、これを内方から押圧した状態で密着する。
【００２２】
以上のように、本実施形態によれば、埋設孔８が縮小した場合には、埋設孔８の周壁部８ｃが重り４の外周部に強固に密着し、逆に、埋設孔８が拡大した場合には、係合凸部９が重り４の係合凹部４ａに強固に密着する。したがって、鍵本体２の乾湿に伴って埋設孔８が拡大および縮小したいずれの場合でも、重り４の保持力を十分に確保することができ、重り４を鍵本体２に安定して保持することができる。また、係合凸部９は、全体が重り４の内部に入り込んでいるので、係合凸部９が膨張した場合には、係合凸部９の３６０度にわたる外周面の全体が、係合凹部４ａに強固に密着し、それにより、重り４を安定した状態でしっかりと保持することができる。
【００２３】
図５は、本発明の第２実施形態によるグランドピアノの鍵を、その重りおよび周辺部について示している。同図に示すように、この鍵１の鍵本体２には、第１実施形態と異なり、側方に貫通した埋設孔１１が形成されている。この埋設孔１１の側面形状は、前後方向（同図（ａ）では左右方向）に長い楕円形に近い形になっており、上下２つの係合凸部１３、１３により、前後方向の中央部において、上下がくびれるように形成されている。これらの係合凸部１３、１３は、互いに上下方向に対向し、埋設孔１１の周壁部１１ａ（壁部）から埋設孔１１の内方に突出するとともに、同図（ｃ）に示すように、鍵本体２の左右の側面間に連続して延びている。
【００２４】
一方、重り１２は、上記埋設孔１１に対して相補的な形状を有するように形成されている。すなわち、重り１２は、埋設孔１１の前後方向の長さおよび深さとほぼ同じ寸法を有するほぼ楕円柱状に形成されるとともに、２つの係合凹部１２ａ、１２ａを有している。両係合凹部１２ａ、１２ａは、互いに上下対称に形成されており、重り１２の上下面に開口するとともに、重り１２の左右の側面間に連続して延びている。
【００２５】
このように形成された重り１２は、埋設孔１１の一方の開口部側から埋設孔１１に挿入され、鍵本体２に取り付けられている。この状態では、図５に示すように、重り１２の外周部が埋設孔１１の周壁部１１ａに嵌合するとともに、上下の係合凹部１２ａ、１２ａが上下の係合凸部１３、１３にそれぞれ嵌合している。
【００２６】
以上のように構成された本実施形態の鍵１によれば、鍵本体２が乾燥に伴って収縮した場合には、図６（ａ）に示すように、埋設孔１１が縮小するとともに、両係合凸部１３、１３が収縮する。これにより、埋設孔１１の周壁部１１ａが、重り１２の両係合凹部１２ａ、１２ａ以外の外周部に、これを周囲から押圧した状態で強固に密着する。逆に、鍵本体２が吸湿に伴って膨張した場合には、同図（ｂ）に示すように、埋設孔１１が拡大するとともに、両係合凸部１３、１３が膨張する。これにより、各係合凸部１３が、係合凹部１２ａの周壁部に、これを内方から押圧した状態で強固に密着する。
【００２７】
したがって、本実施形態によれば、前述した第１実施形態と同様、鍵本体２の乾湿に伴って埋設孔１１が拡大および縮小したいずれの場合でも、重り１２の保持力を十分に確保でき、重り１２を鍵本体２に安定して保持することができる。
【００２８】
なお、本発明は、第１および第２実施形態に限定されるものではなく、埋設孔が拡大または縮小したときに、係合凸部が係合凹部に、または埋設孔の周壁部が重りの外周部に密着することによって、重りを鍵本体に安定して保持できればよい。したがって、実施形態で示した埋設孔８、１１および重り４、１２の形状、係合凸部９、１３および係合凹部４ａ、１２ａの形状、数および配置などは、本発明の趣旨の範囲内で適宜、変更することができる。
【００２９】
例えば、第１実施形態の重り４において、係合凹部４ａを貫通するように形成してもよく、この場合も、前述した第１実施形態と同様の効果を得ることができる。また、第２実施形態の埋設孔１１において、上下２つの係合凸部１３、１３に代えて、またはこれらとともに、同様の前後の係合凸部を設けてもよい。なお、第２実施形態の係合凸部１３は、鍵本体２の左右の側面間に連続して延びていなくてもよく、例えば、鍵本体２の左右の側面間の中央部や側面付近に、不連続に設けるようにしてもよい。さらに、第２実施形態の埋設孔１１の一方の開口部を、第１実施形態と同様に閉鎖するようにしてもよい。
【図面の簡単な説明】
【００３０】
【図１】本発明の第１実施形態によるグランドピアノの鍵を示す斜視図である。
【図２】鍵本体への重りの取付け前の状態を示す分解斜視図である。
【図３】図２のＡ−Ａ線に沿う断面図であり、（ａ）重りの取付け前の状態、および（ｂ）重りの取付け後の状態を示している。
【図４】（ａ）鍵本体の乾燥状態、および（ｂ）鍵本体の湿潤状態における重りの密着状態を説明するための図である。
【図５】本発明の第２実施形態による鍵の重りおよびその周辺部を示す図であり、（ａ）側面図、（ｂ）Ｂ−Ｂ線に沿う断面図、および（ｃ）Ｃ−Ｃ線に沿う断面図である。
【図６】（ａ）鍵本体の乾燥状態、および（ｂ）鍵本体の湿潤状態における重りの密着状態を説明するための図である。
【図７】鉛製の重りを取り付けた従来の鍵の前部を示す部分側面図である。
【図８】鍵本体の乾湿に伴う埋設孔の変形を説明するための図であり、（ａ）重りの取付け後の状態、（ｂ）鍵本体の乾燥状態、および（ｃ）鍵本体の湿潤状態を示している。
【符号の説明】
【００３１】
１    鍵
２    鍵本体
４    重り
４ａ  係合凹部
８    埋設孔
８ａ  開口部
８ｂ  閉鎖壁部（壁部）
８ｃ  周壁部
９    係合凸部
１１    埋設孔
１１ａ  周壁部（壁部）
１２    重り
１２ａ  係合凹部
１３    係合凸部
【図１】
2008064854.tif 000003
【図２】
2008064854.tif 000004
【図３】
2008064854.tif 000005
【図４】
2008064854.tif 000006
【図５】
2008064854.tif 000007
【図６】
2008064854.tif 000008
【図７】
2008064854.tif 000009
【図８】
2008064854.tif 000010